(57)【特許請求の範囲】
【請求項１】
セラミック材料からなる基板部と枠部の積層体で構成され、上層と中層と下層の少なくとも３層以上の積層体により外装部と収納部を形成する直方体形状のベース、
上記ベース上層の枠部上面に接合され、上記ベース上層の枠部による収納部を気密封止する蓋、
上記ベース下層の下面に形成され、外部と接続するための外部接続端子、
上記ベース上層と上記ベース中層と上記ベース下層との外周縁の４隅にのみ形成され、ベースの高さ方向に沿って伸長した円弧状の切欠き部、
上記ベース上層の内周縁の４隅に形成された円弧状の内側切欠き部、
上記ベースの収納部に収納される圧電振動素子と電子部品素子、
上記ベース中層の切欠き部に形成され、上記圧電振動素子と電気的に接続される圧電接続端子、
を備えており、
上記ベース上層の切欠き部の半径をＲ１とし、
上記ベース中層の切欠き部の半径をＲ２とし、
上記ベース上層の内側切欠き部の半径をＲ３とし、
上記ベース上層の枠部の４隅を除いた４辺のうちの最小幅寸法を同一で一定幅のＷで形成した場合、
Ｒ１＜Ｒ２＜Ｒ３≦Ｗとなる
ことを特徴とする圧電振動デバイス。
【請求項２】
請求項１に記載の圧電振動デバイスであって、
上記ベースの平面視外形寸法のうち長辺の寸法が１．６ｍｍ以下で短辺の寸法が１．２ｍｍ以下であり、かつ上記ベース中層の切欠き部の半径Ｒ２の寸法を０．０８５ｍｍ以上０．２ｍｍ以下とした
ことを特徴とする圧電振動デバイス。
【発明の詳細な説明】
【技術分野】
【０００１】
本発明は表面実装型の圧電振動デバイスに関する。
【背景技術】
【０００２】
圧電振動デバイスとして、例えば表面実装型の水晶振動子や水晶発振器が広く用いられている。例えば表面実装型の水晶発振器は、絶縁性材料からなるベース（パッケージ）に設けられた収納部の中に、水晶などからなる圧電振動素子と集積回路素子などの電子部品素子が実装され、蓋で収納部を気密封止した構造となっている。前記ベースの外底面には複数の外部接続端子が形成されている。圧電振動デバイスは、外部接続端子で外部回路基板上の搭載パッドとはんだなどの導電性接合材により電気的機械的に接合されることで外部回路基板に搭載される。
【０００３】
このような圧電振動デバイスの中には、特許文献１に開示されているように、圧電振動素子と接続された圧電接続端子を設けることで、ＩＣなどの他の電子部品素子による電気的な特性に影響されることなく、圧電振動素子の単体としての電気的特性の評価や周波数調整を実施するものが従来から提案されている。
【先行技術文献】
【特許文献】
【０００４】
【特許文献１】実開平５−６５１１０号
【発明の概要】
【発明が解決しようとする課題】
【０００５】
しかしながら、上述のような圧電振動デバイスは、近年のパッケージの小型化の進展とともに、パッケージ収納部の収納スペースの確保とパッケージの機械的な強度の確保が難しくなってきているのが現状である。特に、パッケージの主体となりセラミック材料の積層体により構成するベースでは、ベース内底部分の周囲にある枠部の幅により、ベースの外形寸法とベースの収納部の容積が決定されるとともに、外部からの衝撃や気密性を確保するための機械的な強度にも大きく影響する。加えて、ベース底面に形成された外部接続端子以外の場所に圧電接続端子を別途形成する構成では、ベースの側面のいずれかの領域に圧電接続端子が形成されるため、圧電接続端子が形成される堤部分に形状的な制限を受けやすくなる。このような問題点は、圧電振動デバイスの小型化とともにますます困難になっているのが現状である。
【０００６】
本発明は、かかる点に鑑みてなされたものであり、パッケージの小型化に対応させながら圧電接続端子を構成することができるより信頼性の高い圧電振動デバイスを提供することを目的とするものである。
【課題を解決するための手段】
【０００７】
上記目的を達成するために本発明は、セラミック材料からなる基板部と枠部の積層体で構成され、上層と中層と下層の少なくとも３層以上の積層体により外装部と収納部を形成する直方体形状のベース、上記ベース上層の枠部上面に接合され、上記ベース上層の枠部による収納部を気密封止する蓋、上記ベース下層の下面に形成され、外部と接続するための外部接続端子、上記ベース上層と上記ベース中層と上記ベース下層との外周縁の４隅にのみ形成され、ベースの高さ方向に沿って伸長した円弧状の切欠き部、上記ベース上層の内周縁の４隅に形成された円弧状の内側切欠き部、上記ベースの収納部に収納される圧電振動素子と電子部品素子、上記ベース中層の切欠き部に形成され、上記圧電振動素子と電気的に接続される圧電接続端子、を備えており、上記ベース上層の切欠き部の半径をＲ１とし、上記ベース中層の切欠き部の半径をＲ２とし、上記ベース上層の内側切欠き部の半径をＲ３とし、上記ベース上層の枠部の４隅を除いた４辺のうちの最小幅寸法を同一で一定幅のＷで形成した場合、Ｒ１＜Ｒ２＜Ｒ３≦Ｗとなる。
【０００８】
上記発明によれば、圧電振動素子の特性を計測できる圧電接続端子を形成するための切欠き部をベースの積層体の枠部の幅が広く機械的強度の比較的強い４隅にのみ構成している。このため、機械的強度の比較的弱く、ベースの収納部を狭めること影響しやすい積層体の枠部の４辺部分に切欠き部を構成する必要がない。
【０００９】
特に、上記圧電接続端子をベース中層の切欠き部にのみ形成しているので、ベース上層の枠部に対して圧電接続端子が形成された切欠き部を形成することによる封止部などの形状的な制限を与えない。
【００１０】
また、上記ベース上層の切欠き部の半径をＲ１とし、上記ベース中層の切欠き部の半径をＲ２とし、上記ベース上層の枠部の４隅を除いた４辺のうちの最小幅寸法をＷで形成した場合、これらの寸法に大小関係を成立するように構成しＲ１＜Ｒ２≦Ｗとしている。このような大小関係を成立させることで、ベース上層の枠部を含めて外周縁の４隅に切欠き部を形成しても、圧電接続端子として機能させるために必要な半径の切欠き部を確保することができる。加えて、ベース上層の枠部の４隅の幅寸法をベース上層の枠部の４辺の幅寸法に対して極端に狭められることがない。つまり、ベース上層の枠部の４隅の領域における機械的な強度を低下させることもなく、蓋を接合するための４隅の領域を狭めることもなくなる。
【００１１】
特に、上記ベース上層の切欠き部の半径Ｒ１と上記ベース中層の切欠き部の半径Ｒ２が同径の場合に比べて、上記ベース上層の切欠き部の半径Ｒ１を上記ベース中層の切欠き部の半径Ｒ２より小径化することで、ベース上層の上面の封止用メタライズパターンの形成位置をベース４隅に延出して形成することができる。このため、蓋を接合するための接合領域を拡大できるので、気密封止性を高めることができる。
【００１２】
さらに、上記ベース上層の切欠き部の半径Ｒ１と上記ベース中層の切欠き部の半径Ｒ２が同径の場合に比べて、上記ベース中層の切欠き部の半径Ｒ２を上記ベース上層の切欠き部の半径Ｒ１より大径化することで、検査プローブや測定用治具の端子を圧電接続端子により一層接触させやすくできる。
【００１３】
また、上記構成において、ベースの平面視外形寸法のうち長辺の寸法が１．６ｍｍ以下で短辺の寸法が１．２ｍｍ以下であり、かつ上記ベース中層の切欠き部の半径Ｒ２の寸法を０．０８５ｍｍ以上０．２ｍｍ以下としたことを特徴とする圧電振動デバイス。
【００１４】
この場合、上述の作用効果に加えて、１．６ｍｍ×１．２ｍｍ以下に小型化された圧電振動デバイスでは、必要な収納部の容量を確保しながら枠部の幅寸法を確保することが困難となっており、ベースの機械的強度と気密封止性を低下させることなく、検査プローブや測定用治具の端子を圧電接続端子に確実に接触させる切欠き部が得られる。
【発明の効果】
【００１５】
以上のように、パッケージの小型化に対応させながらより信頼性の高い圧電接続端子を構成することができるより信頼性の高い圧電振動デバイスを提供することができる。
【図面の簡単な説明】
【００１６】
【図１】本発明の実施形態に係る水晶発振器の概略構成を示す断面図である。
【図２】図１の底面図である。
【図３】図１の蓋をする前の平面図である。
【図４】図１のベースのみの平面図である。
【図５】図４の方形状の点線部分を拡大した図である。
【図６】本発明の他の実施形態に係る水晶発振器の概略構成を示す断面図である。
【発明を実施するための最良の形態】
【００１７】
以下、本発明の実施形態について図面を参照しながら説明する。以下に述べる本発明の実施形態において、圧電振動デバイスとして、例えば発振回路を有するＩＣ（電子部品素子）を内蔵した表面実装型水晶発振器を例に挙げて説明する。
【００１８】
本発明の実施形態を図１乃至５を用いて説明する。水晶発振器１は略直方体状のパッケージであり、平面視では略矩形、断面では凹形状となっている。水晶発振器１は、ベース２と、水晶振動素子（圧電振動素子）３と、ＩＣ４と、蓋５とが主な構成部材となっている。
【００１９】
本実施形態では、例えば水晶発振器１の平面視の外形サイズ（ベース２の平面視外形寸法）は縦横が約１．６ｍｍ（長辺）×１．２ｍｍ（短辺）のもの（タイプＡ）と、縦横が約１．２ｍｍ（長辺）×１ｍｍ（短辺）のもの（タイプＢ）となっており、水晶発振器１は電子部品素子として発振回路を有するＩＣ４を内蔵している。なお、前述の水晶発振器の平面視外形サイズは一例であり、前記外形サイズ以外のパッケージサイズであっても本発明は適用可能である。以下、水晶発振器１を構成する各部材の概略について詳述する。
【００２０】
ベース２はセラミック材料からなる長辺と短辺を有する平面視略矩形の基板部と枠部の積層体で構成され、上層と中層と下層の少なくとも３層以上の積層体により外装部２ｂと収納部２ａを形成する直方体形状の容器である。
【００２１】
本実施形態では、ベース２は、ベース下層となる平板状（平面視略矩形）の基板部２０と、当該基板部２０の一主面２０１の外周部２００に沿って上方に伸び外周縁２１０と内周縁２１１とが平面視略矩形で形成されベース中層となる第１枠部２１と、当該第１枠部２１の外周部２００に沿って上方に伸び外周縁２２０と内周縁２２１とが平面視略矩形で形成されベース上層となる第２枠部２２（枠部）とが主な構成部材（断面凹形状）との３層構成となっている。
【００２２】
そして、これらの基板部２０の一主面２０１による内底面と、第１枠部２１の内周縁より内側の内部空間と、第２枠部の内周縁より内側の内部空間とを組み合わせることで、ベースの収納部２ａが構成されている。
【００２３】
ベース２の内部では、下方面には第１枠部２１により構成され、後述するＩＣ４を収納する第１の収納部２１ａが形成され、当該第１の収納部の底面から上部に突き出し、後述する水晶振動素子３の端部を保持する保持台２１ｂと、前記第１の収納部を介して前記保持台と対向位置する枕部２１ｄが形成されている。また、第１の収納部２１ａの上方には第２枠部２２により構成された第２の収納部２２ａが形成されている。
【００２４】
ベース２の外部では、基板部２０と第１枠部２１と第２枠部２２とは、各外周縁が平面視略同一の矩形で形成され、かつ各外周縁の４隅にのみベースの高さ方向に沿って伸長した円弧状の切欠き部２０ｃと２１ｃと２２ｃが形成されている。このうち、図１，図２に示すように、第２枠部２２は半径Ｒ１の円弧状の切欠き部で、基板部２０と第１枠部２１とは同一の半径Ｒ２の円弧状の切欠き部で構成している。
【００２５】
つまり、第２枠部２２の外周縁の４隅には半径Ｒ１の円弧状の切欠き部２２ｃ（２２ｃ１，２２ｃ２，２２ｃ３，２２ｃ４）が形成され、第１枠部２１の外周縁の４隅には半径Ｒ２の円弧状の切欠き部２１ｃ（２１ｃ１，２１ｃ２，２１ｃ３，２１ｃ４）が形成され、基板部２０の外周縁の４隅には半径Ｒ２の円弧状の切欠き部２０ｃ（２０ｃ１，２０ｃ２，２０ｃ３，２０ｃ４）が形成されている。
【００２６】
これらの基板部２０の切欠き部２０ｃ１，２０ｃ２，２０ｃ３，２０ｃ４と、第１枠部２１の切欠き部２１ｃ１，２１ｃ２，２１ｃ３，２１ｃ４と、第２枠部２２の切欠き部２２ｃ１，２２ｃ２，２２ｃ３，２２ｃ４とは、後述するように積層された際に重畳されることで、ベース２の一体化された切欠き部を構成する。
【００２７】
このとき、第２枠部２２の切欠き部の半径Ｒ１と基板部２０と第１枠部２１の切欠き部の半径Ｒ２との関係は、Ｒ１＜Ｒ２となるように構成している。本形態の一例としては、タイプＡが半径Ｒ１を０．１ｍｍとし、半径Ｒ２を０．１２ｍｍ、タイプＢが半径Ｒ１を０．０８５ｍｍとし、半径Ｒ２を０．１２ｍｍとしている。
【００２８】
また、図３，図４に示すように、第２枠部２２の内周縁の４隅には、半径Ｒ３の円弧状の内側切欠き部２２ｄが形成されている。つまり、第２枠部２２の内周縁の４隅には、第２枠部２２の内周壁の高さ方向に沿って伸長（第２枠部２２を貫通する）する半径Ｒ３の円弧状の内側切欠き部２２ｄ（２２ｄ１，２２ｄ２，２２ｄ３，２２ｄ４）が形成されている。
【００２９】
このとき、第２枠部２２の内側切欠き部２２ｄの半径Ｒ３と、第２枠部２２の切欠き部の半径Ｒ１と、基板部２０と第１枠部２１の切欠き部の半径Ｒ２との関係は、Ｒ１＜Ｒ２＜Ｒ３となるように構成してもよい。本形態の一例として、タイプＡでは半径Ｒ３を０．１５ｍｍとしている。
【００３０】
また、図４，図５に示すように、第２枠部２２の外周縁と内周縁との４隅を除いた４辺の寸法が一定の幅寸法Ｗで形成されているため、４辺のうちの最小幅寸法もＷとして形成している。このとき、第２枠部２２の幅寸法Ｗと、第２枠部２２の切欠き部の半径Ｒ１と、基板部２０と第１枠部２１の切欠き部の半径Ｒ２との関係は、Ｒ１＜Ｒ２≦Ｗとなるように構成している。本形態の一例としては、タイプＡが幅寸法Ｗを０．１５ｍｍとし、タイプＢが幅寸法Ｗを０．１２ｍｍとしている。つまり、タイプＡが「Ｒ１（０．１ｍｍ）＜Ｒ２（０．１２ｍｍ）＜Ｗ（０．１５ｍｍ）」の関係になり、タイプＢが「Ｒ１（０．０８５ｍｍ）＜Ｒ２（０．１２ｍｍ）＝Ｗ（０．１２ｍｍ）」の関係を満たすように設定されている。
【００３１】
これらの構成により、小型化対応により第１枠部２１と第２枠部２２の幅が縮小されたとしても、幅に余裕のある４隅にのみ外側切欠き部２０ｃと２１ｃと２２ｃと内側切欠き部２２ｄとを形成することで、ベース全体としての機械的な強度を弱めることがない。また、第２枠部２２の最小幅寸法Ｗに対して、第２枠部２２の切欠き部の半径Ｒ１を小さくすることで、枠部の辺幅と４隅の幅のバランスが保たれ、かつ第２枠部２２の切欠き部の半径Ｒ１を形成する枠部の四隅の領域もゆとりをもたせることができる。結果として、第２枠部２２と蓋５との封止領域も必要以上に狭めることもなくなるので、水晶振動素子２の気密封止性能を低下させることもない。加えて、第２枠部２２の切欠き部の半径Ｒ１に対して、第１枠部２１の切欠き部の半径Ｒ２を大きくすることで、封止領域の面積を狭めることなく第１枠部の切欠き部の寸法のみをより大きく設計することができる。
【００３２】
また、本形態では、第２枠部２２の幅寸法を短辺側と長辺側で区別することなく一定幅のＷとしており、第２枠部によって得られる封止領域の幅寸法の均一化と第２枠部の外周強度の均一化が行える。
【００３３】
また、図４，図５に示すように、第２枠部２２の内側切欠き部２２ｄの半径Ｒ３と、基板部２０と第１枠部２１の切欠き部の半径Ｒ２と、第２枠部２２の切欠き部の半径Ｒ１と、第２枠部２２の幅寸法Ｗとの関係は、Ｒ１＜Ｒ２＜Ｒ３≦Ｗとなるように構成してもよい。本形態のタイプＡでは、「Ｒ１（０．１ｍｍ）＜Ｒ２（０．１２ｍｍ）Ｒ３（０．１５ｍｍ）＝Ｗ（０．１５ｍｍ）」の関係としている。
【００３４】
このため、第２枠部２２の内側切欠き部２２ｄの半径Ｒ３に対して、第２枠部２２の４辺の幅寸法Ｗを同寸法以上にすることで、枠部の辺幅と４隅の幅のバランスが保たれ、かつ第２枠部２２の切欠き部の半径Ｒ１を形成する枠部の四隅の領域もゆとりをもたせることができる。
【００３５】
ベース２の下層である基板部２０の下面には、図２に示すように、４隅の切欠き部２０ｃ１，２０ｃ２，２０ｃ３，２０ｃ４に隣接するベースの素地部が露出する絶縁領域Ｚを介在するとともに、４隅の切欠き部２０ｃ１，２０ｃ２，２０ｃ３，２０ｃ４に近接して外部と接続するための外部接続端子ＧＴ１，ＧＴ２，ＧＴ３，ＧＴ４が形成されている。
【００３６】
ベース２の下層である基板部２０の上面（第１の収納部２１ａの内底面）には、図４に示すように、後述する集積回路素子２と接続される複数の配線パターンＨ２１〜Ｈ２６が並んで形成されている。この配線パターンのうちＨ２１〜Ｈ２４は、下部に貫通接続する図示しない導電ビアＶを介して、各々が外部接続端子ＧＴ１，ＧＴ２，ＧＴ３，ＧＴ４に電気的に導出されている。
【００３７】
ベース２の中層である第１枠部２１の上面（第２の収納部２２ａの底面）には、後述する水晶振動素子３を搭載する保持台２１ｂが形成されており、その上面には後述する水晶振動素子３と接続される第２の配線パターンＨ２７，Ｈ２８とが形成されている。保持台２１ｂは第１枠部２１の一部が収納部２ａ（第１の収納部２１ａ）の方に突出することで構成されている。これら第２の配線パターンＨ２７，Ｈ２８は、下部に貫通接続する導電ビアＶを介して、配線パターンＨ２５，Ｈ２６に電気的に導出されている。
【００３８】
ベース２の中層である第１枠部２１の外周縁の４隅の切欠き部のうち、切欠き部２１ｃ１，２１ｃ２の上部には、後述する水晶振動素子３と電気的に接続される圧電接続端子ＡＴ１，ＡＴ２が形成されている。圧電接続端子ＡＴ１は第２の配線パターンＨ２７から電気的に導出されており、圧電接続端子ＡＴ２は第２の配線パターンＨ２８から電気的に導出されている。このため、圧電接続端子ＡＴ１，ＡＴ２に対して、圧電振動素子特性装置のコンタクトプローブを接触することで後述する水晶振動素子３単独の特性を測定することができる。
【００３９】
なお、ベース２の平面視の外形サイズが１．６ｍｍ×１．２ｍｍ以下に小型化されたものにおいては、圧電接続端子ＡＴ１，ＡＴ２が形成される第１枠部２１の切欠き部の半径Ｒ２は、０．０８５ｍｍ〜０．２mmに設定することが望ましい。これは、検査プローブや測定用治具の端子などをスムーズかつ確実に接触させながら、ベースの機械的強度を低下させない寸法範囲となる。つまり、０．０８５ｍｍより小さいと上記端子とのコンタクトが取れにくくなり、０．２ｍｍより大きいと第１枠部２１の４隅の幅が小さくなり機械的強度が弱くなりやすく、気密性も確保しにくくなる。また、第２枠部２２の切欠き部の半径Ｒ１については、０．０５ｍｍ以上の大きさで形成することで、ベースのコーナー部におけるかけの抑制や蓋との接合時の応力を緩和の面で望ましい構成となる。また、ベース２の平面視の外形サイズが１．６ｍｍ×１．２ｍｍ以下の小型化されたものにおいては、第２枠部２２の４辺の最小幅寸法Ｗについては、収納部の容積確保の面と機械的強度確保の面、封止領域確保の面などを考慮して、０．０８５ｍｍ〜０．２mmに設定することが望ましい。
【００４０】
なお、圧電接続端子ＡＴ１，ＡＴ２は、ベース２の中層である第１枠部２１の切欠き部２１ｃ１，２１ｃ２の上面にのみ形成されており、この切欠き部に上下に隣接するベース２の下層である基板部２０の切欠き部２０ｃ１，２０ｃ２の上面とベース２の上層である第２枠部２２の切欠き部２２ｃ１，２２ｃ２の上面には形成されないように構成している。
【００４１】
ベース２の上層である第２枠部２２の上面には、後述する蓋５を接合するための封止部２２２が形成されている。本形態では封止部２２２をメタライズにより構成しており、この封止部２２２と後述する蓋５とは金属ろう材など接合材によって接合される。
【００４２】
以上のように構成された基板部２０と第１枠部２１と第２枠部２２の各々は、セラミックグリーンシート（アルミナ）となっている。外部接続端子ＧＴ１〜ＧＴ４、配線パターンＨ２１〜Ｈ２６、第２の配線パターンＨ２７，Ｈ２８、圧電接続端子ＡＴ１，ＡＴ２、封止部２２２の各々は、タングステンあるいはモリブデン等によるメタライズ層の上面にニッケルメッキ層、金メッキ層の各層が形成された構成である。これら３つのシートが積層された状態で焼成によって一体成形されることで、ベース２を構成している。
【００４３】
なお、これらの各シート（基板部のシート・第１枠部のシート・第２枠部のシート）については、積層間の内部配線の延出形態に応じて単層だけでなく複数層に分けて形成してもよい。より具体的には、第１枠部２１と第２枠部２２の間に他の枠体に相当するシートを１層以上追加し、４層以上の積層体からなるベースとして構成してもよい。
【００４４】
第１の収納部２１ａの内底面に搭載されるＩＣ４は、Ｃ−ＭＯＳなどのインバータ増幅器（発振用増幅器）を内蔵したワンチップの集積回路素子であり、後述する水晶振動素子３とともに発振回路を構成する。ＩＣ４の底面側には複数のパッドが形成されている。ＩＣ４は、例えば金などの金属バンプＣを介して、ＩＣ２の複数のパッドとベース２に形成された配線パターンＨ２１〜Ｈ２６とを例えばＦＣＢにより接続される。本形態では、金属バンプにより接合した構成を例にしているが、金属ワイヤバンプを用いてもよい。
【００４５】
なお、本形態で用いられるＩＣ４は、水晶振動素子３の周波数信号を増幅する発振回路部のみを具備したいわゆるＳＰＸＯ用のＩＣに限らず、周波数調整回路を付加機能として具備されたいわゆるＶＣＸＯ用のＩＣであってもよく、温度補償機能などが付加機能として具備されたいわゆるＴＣＸＯ用のＩＣでもよい。また、これらを組みあわされたＩＣであってもよい。ＩＣ４としては、ＣＭＯＳ以外のバイポーラ、バイＣＭＯＳなどであってもよい。
【００４６】
ＩＣ４の上方で、収納部２ａの同一空間である第２の収納部２２ａには所定の間隔を持って水晶振動素子３が搭載される。水晶振動素子３は例えば矩形状のＡＴカット水晶振動板であり、その表裏面には励振電極と引出電極が各々形成されている。これらの電極は、例えば、クロムまたはニッケルの下地電極層と、銀または金の中間電極層と、クロムまたはニッケルの上部電極層とから構成された３層の積層薄膜、またはクロムやニッケルの下地電極層と、銀または金の上部電極層とから構成された２層の積層薄膜である。これら各電極は真空蒸着法やスパッタリング法等の薄膜形成手段により形成することができる。
【００４７】
水晶振動素子３とベース２との接合は、例えばペースト状であり銀フィラー等の金属微小片を含有するシリコーン系の導電樹脂接着剤（導電性接合材）Ｓを用いている。図１に示すように、導電性樹脂接着剤Ｓは、第２の配線パターンＨ２７，Ｈ２８のうちの一部の上面に塗布されるとともに、導電性樹脂接着剤Ｓを水晶振動素子３と保持台２１ｂの間に介在させ硬化させることで、お互いを電気的機械的に接合している。以上により、水晶振動素子３の一端部をベース２の第１の収納部２１ａの底面から隙間を設けながら、水晶振動素子３の対向する他端部をベースの保持台２１ｂに接合して、片持ち保持される。なお、本形態では、シリコーン系の導電樹脂接着剤により接合した構成を例にしているが、この導電性接合材として他の導電性樹脂接着剤や金属バンプ、金属メッキバンプなどのバンプ材料、ろう材を用いてもよい。
【００４８】
ベース２を気密封止する蓋５は、例えば、コバール等からなるコア材に金属ろう材（封止材）が形成された構成である。この金属ろう材からなる接合材５１がベース２の封止部２２２と接合される構成となる。金属製の蓋５の平面視外形はセラミックベースの当該外形とほぼ同じであるか、若干小さい構成となっている。
【００４９】
収納部２ａにＩＣ４と水晶振動素子３が格納されたベース２の封止部２２２に対して金属製の蓋５にて被覆し、金属製の蓋５の接合材５１とベースの封止部２２２を溶融硬化させ、気密封止を行うことで表面実装型の水晶発振器１の完成となる。
【００５０】
このように構成された表面実装型の水晶発振器１は、図示しない回路基板の配線パターンに対してはんだなどの接合材を用いて接合される。
【００５１】
なお、本発明の実施形態では基板部２０の一主面側（上方）のみに枠部を形成した断面凹形状のベースを例にして説明しているが、図６に示すように、２層の基板部２３（ベース中層１）と基板部２４（ベース中層２）の一主面側（上方）と他主面側（下方）の両面に上枠部２５と下枠部２６を形成した断面略Ｈ型のベースのものに適用してもよい。図６では、上枠部２５の円弧状の切欠き部２５ｃの半径Ｒ１とそれ以外（基板部２３，２４、下枠部２６）の円弧状の切欠き部（２３ｃ，２４ｃ，２６ｃ）の半径Ｒ２とは全て同じ径として構成している。また、圧電接続端子ＡＴ１，ＡＴ２は基板部２３，２４の切欠き部２３ｃ，２４ｃに形成している。
【００５２】
本発明の実施形態による表面実装型水晶発振器１によれば、水晶振動素子３のみの特性を計測できる圧電接続端子ＡＴ１，ＡＴ２を形成するための切欠き部２１ｃ１，２１ｃ２をベースの積層体の枠部の幅が広く機械的強度の比較的強い４隅にのみ構成しているため、機械的強度の比較的弱く、ベースの収納部を狭めること影響しやすい積層体の枠部の４辺部分に切欠き部を構成する必要がない。加えて、第２枠部２２の４辺部分の寸法が全て同じＷ寸法で形成されているため、ベース２の外装部の一部を構成する第２枠部２２の外周では同じ強度とすることができ、各辺により機械的強度の弱い部分がなくなる。
【００５３】
特に、圧電接続端子ＡＴ１，ＡＴ２をベース中層の第１枠部２１の切欠き部２１ｃ１，２１ｃ２にのみ形成しているので、ベース上層の第２枠部２２に対して圧電接続端子が形成された切欠き部を形成することによる形状的な制限を与えない。加えて、ベース上層の第２枠部２２の切欠き部２２ｃ１，２２ｃ２，２２ｃ３，２２ｃ４の半径をＲ１とし、ベース中層の第１枠部２１の切欠き部２１ｃ１，２１ｃ２，２１ｃ３，２１ｃ４の半径をＲ２とし、ベース上層の第２枠部２２の外周縁と内周縁との４隅を除いた４辺の寸法が一定の幅寸法Ｗで形成した場合、これらの寸法に大小関係を成立するように構成しＲ１＜Ｒ２≦Ｗとしている。このような大小関係を成立させることで、ベース上層の第２枠部２２を含めて外周縁の４隅に切欠き部２０ｃと２１ｃと２２ｃを形成しても、圧電接続端子ＡＴ１，ＡＴ２として機能させるために必要な半径の切欠き部を確保することができる。加えて、ベース上層の第２枠部２２の４隅の幅寸法をベース上層の第２枠部２２の４辺の幅寸法に対して極端に狭められることがない。つまり、ベース上層の第２枠部２２の４隅の領域における機械的な強度を低下させることもなく、蓋５を接合するための封止部２２１の４隅の領域を狭めることもなくなる。
【００５４】
特に、ベース上層の第２枠部２２の切欠き部２２ｃ１，２２ｃ２，２２ｃ３，２２ｃ４の半径Ｒ１とベース中層の第１枠部２１の切欠き部２１ｃ１，２１ｃ２，２１ｃ３，２１ｃ４の半径Ｒ２が同径の場合に比べて、ベース上層の切欠き部の半径Ｒ１をベース中層の切欠き部の半径Ｒ２より小径化することで、ベース上層の第２枠部２２の上面の封止部２２１の形成位置をベース４隅に延出して形成することができる。このため、蓋５を接合するための接合領域を拡大できるので、気密封止性を高めることができる。さらに、ベース中層の切欠き部の半径Ｒ２をベース上層の切欠き部の半径Ｒ１より大径化することで、検査プローブや測定用治具の端子を圧電接続端子により一層接触させやすくできる。
【００５５】
以上のように、パッケージの小型化に対応させながらより信頼性の高い圧電接続端子ＡＴ１，ＡＴ２を構成することができるより信頼性の高い水晶発振器１を提供することができる。
【００５６】
また、上記した本実施例では、圧電振動素子としてＡＴカット水晶振動板を用いているが、これに限定されるものでなく、音叉型水晶振動片であってもよい。また、圧電振動素子として水晶を材料としているが、これに限定されるものではなく、圧電セラミックスやＬｉＮｂＯ3等の圧電単結晶材料を用いてもよい。すなわち、任意の圧電振動素子が適用可能である。また、圧電振動素子を片持ち保持するものを例にしているが、圧電振動素子の両端を保持する構成であってもよい。
【００５７】
また、上述した本発明の実施形態では電子部品素子としてＩＣを使用した水晶発振器（圧電発振器）を例にしているが、サーミスタやダイオードなどの感温素子やその他の機能電子部品素子を使用した機能部品付きの水晶振動子（圧電振動子）にも本発明は適用可能である。
【００５８】
また、本実施例では、金属ろう材による封止を例にしたが、これに限定されるものではなく、シーム封止、ビーム封止（例えば、レーザビーム、電子ビーム）やガラス封止等でも適用することができる。
【００５９】
本発明は、その精神または主要な特徴から逸脱することなく、他のいろいろな形で実施することができる。そのため、上述の実施の形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００６０】
圧電振動デバイスの量産に適用できる。
【符号の説明】
【００６１】
１    水晶発振器（圧電振動デバイス）
２    ベース
３    水晶振動素子（圧電振動素子）
４    ＩＣ
５    蓋
Ｃ    金属バンプ
Ｓ    導電性樹脂接着剤
【図１】
0006604071.tif 000002
【図２】
0006604071.tif 000003
【図３】
0006604071.tif 000004
【図４】
0006604071.tif 000005
【図５】
0006604071.tif 000006
【図６】
0006604071.tif 000007